(57)【要約】      （修正有）【課題】導光板と表示パネルとの間に、埃等の異物が入り込むことを抑制することができる表示装置を提供する。【解決手段】表示装置は、導光板６と、導光板６の前側に位置する透光性の表示パネル７と、表示パネル７の前面が露出するように、表示パネル７及び導光板６を保持するパネルケース８と、を備える。表示装置はさらに、導光板６の側端面に対向して位置し、前記側端面へ光を出射する光源部４と、導光板６と光源部４の間に位置し、導光板６と表示パネル７の間を覆うカバー９と、を備える。【選択図】図２
2019174554.tif 000002
【特許請求の範囲】
【請求項１】
導光板と、
前記導光板の前側に位置する透光性の表示パネルと、
前記表示パネルの前面が露出するように、前記表示パネル及び前記導光板を保持するパネルケースと、
前記導光板の側端面に対向して位置し、前記側端面へ光を出射する光源部と、
前記導光板と前記光源部の間に位置し、前記導光板と前記表示パネルの間を覆うカバーと、を備える、
表示装置。
【請求項２】
前記導光板の前記側端面は、前記光源部の前記光が入射される第一面と、前記第一面を除いた第二面とを、含み、
前記カバーは、前記第二面に対向して位置し、前記第一面に対向しない、
請求項１に記載の表示装置。
【請求項３】
前記導光板の前記第一面に、前記光源部から入射する光を拡散させる光拡散部が設けられている、
請求項２に記載の表示装置。
【請求項４】
前記カバーは、前記表示パネルと一体であり、かつ、前記導光板と前記パネルケースの少なくとも一方に引っ掛かる引っ掛け部を有する、
請求項１〜３のいずれか一項に記載の表示装置。
【請求項５】
前記カバーは、複数のカバー片で構成され、
前記複数のカバー片のそれぞれが、前記引っ掛け部を有する、
請求項４に記載の表示装置。
【発明の詳細な説明】
【技術分野】
【０００１】
本開示は、表示装置に関する。
【背景技術】
【０００２】
従来、誘導灯等として用いられる表示装置が知られている（例えば特許文献１参照）。
【０００３】
特許文献１に記載の表示装置は、避難誘導パターンを示す表示パネルと、表示パネルの背面側に配置される導光板と、導光板に光を照射する光源部と、を備える。
【先行技術文献】
【特許文献】
【０００４】
【特許文献１】特開２００９−３６９８９号公報
【発明の概要】
【発明が解決しようとする課題】
【０００５】
ところで、特許文献１に記載の表示装置では、表示パネルが、樹脂製であるため、成形時や利用中に反りが生じる場合がある。この場合、表示パネルと導光板との間に隙間が生じ、この隙間に埃等の異物が入り込む等の問題が発生するおそれがある。
【０００６】
上記事情に鑑みて、本開示は、導光板と表示パネルとの間に、埃等の異物が入り込むことを抑制することができる表示装置を提供することを、目的とする。
【課題を解決するための手段】
【０００７】
本開示に係る一態様の表示装置は、導光板と、前記導光板の前側に位置する透光性の表示パネルと、前記表示パネルの前面が露出するように、前記表示パネル及び前記導光板を保持するパネルケースと、前記導光板の側端面に対向して位置し、前記側端面へ光を出射する光源部と、前記導光板と前記光源部の間に位置し、前記導光板と前記表示パネルの間を覆うカバーと、を備える。
【発明の効果】
【０００８】
本開示は、導光板と表示パネルとの間に、埃等の異物が入り込むことを抑制することができる表示装置を提供することができる。
【図面の簡単な説明】
【０００９】
【図１】図１は、一実施形態の表示装置を示す斜視図である。
【図２】図２は、同上の表示装置の分解した状態を示す斜視図である。
【図３】図３は、同上の表示装置のパネル部の分解した状態を示す斜視図である。
【図４】図４は、同上のパネル部の組み立てた状態を示す平面図である。
【図５】図５は、図１のＡ−Ａ線における断面図である。
【図６】図６は、図２のＢ部分を示す平面図である。
【図７】図７は、同上のパネル部に光源部を取り付けた状態を示す斜視図である。
【発明を実施するための形態】
【００１０】
本開示は、表示装置に関し、より詳細には、導光板と、その前側に配置される透光性の表示パネルと、導光板の側端面へ光を出射する光源部と、を備える表示装置に関する。
【００１１】
（一実施形態）
（１）概要
図１及び図２に示すように、本実施形態の表示装置１は、筐体２、パネル部３、光源部４、及び光源カバー５を備える。表示装置１は、例えば避難誘導用の誘導灯として用いられる。筐体２とパネル部３とは一方向に並び、パネル部３の側端面の１つに、光源部４が対向している。
【００１２】
以下では、図１に示す組み立て状態を基準として、筐体２に対してパネル部３が位置する側を前側とし、その反対側を後側とし、パネル部３に対して光源部４が位置する側を上側とし、その反対側を下側として、各構成について説明する。
【００１３】
表示装置１では、パネル部３は、筐体２の前側に取り付けられ、光源部４は、パネル部３の側端面（本実施形態では上面）に対向するように、筐体２の前側に取り付けられる。
【００１４】
パネル部３は、導光板６と、導光板６の前側に位置する透光性の表示パネル７と、表示パネル７の前面が露出するように、導光板６及び表示パネル７を保持するパネルケース８と、を有する。光源部４は、導光板６の側端面（本実施形態では上面６０）に対向して位置し、この側端面へ光を出射する。
【００１５】
表示装置１はさらに、導光板６と光源部４の間に位置し、導光板６と表示パネル７の間を覆うカバー９を備える。光源部４は、光源４０と、光源４０を収容する箱状の光源ケース４１とを有する。光源ケース４１は、パネル部３に連結する連結部４４を有する。
【００１６】
（２）詳細
（２−１）筐体
図２に示すように、筐体２は、前面が開口した矩形の箱状である。筐体２は、透光性を有さない。筐体２は、例えば不透明な樹脂成型品である。筐体２には、光源部４を発光させるための各種の電気機器（図示せず）が収容される。各種の電気機器は、例えば、端子台と電源装置と制御装置である。各種の電気機器は、筐体２内に取り付けられた金属製のベース２０に、ねじ等で固定される。
【００１７】
筐体２は、後壁２１と、左右の側壁２２と、底壁２３と、上壁２４とを一体に有する。後壁２１と、左右の側壁２２と、底壁２３と、上壁２４とは、前面が開口した矩形の箱をなしている。
【００１８】
左右の側壁２２には、パネル部３を支持するパネル支持部２５と、光源カバー５を支持するカバー支持部２６とが設けられている。
【００１９】
本実施形態では、パネル支持部２５は、複数の突起２５０で構成される。複数の突起２５０のそれぞれは、左右方向から見てＬ字状であり、左右の側壁２２のそれぞれから左右方向内側に突出している。本実施形態では、左右の側壁２２のそれぞれに、上下２つの突起２５０が設けられている。
【００２０】
カバー支持部２６は、左右一対の突起２６０で構成される。左右一対の突起２６０のそれぞれは、前側から見てＬ字状であり、左右の側壁２２のそれぞれから左右方向内側に突出している。
【００２１】
上壁２４には、光源カバー５の取り付けに用いられる左右一対の凹部２４０が形成されている。左右一対の凹部２４０のそれぞれは、前側と下側に開放されている。
【００２２】
（２−２）パネル部
（２−２−１）導光板
図３に示す導光板６は、側端面に入射された光を内部で反射させて厚み方向の片側の面（前面）から出射させる面状発光体である。導光板６は、樹脂成型品であり、例えばアクリル樹脂で形成される。導光板６は、矩形板状であり、前後方向に厚みを有する。
【００２３】
導光板６は、上面６０が、光源部４からの光が入射される入射面であり、前面６１が、導光板６の内部に入射された光が出射される出射面であり、後面６２が、導光板６の内部に入射された光を反射及び拡散させる面である。後面６２には、凹凸状の拡散パターンが形成されるか、あるいは、反射拡散機能を有する他の部材が重ねられる。
【００２４】
上面６０は、光源部４の光が入射される第一面６００と、第一面６００を除いた第二面６０１とを、含む。第一面６００は、上面６０のうちの左右方向の中央部分であり、第二面６０１は、上面６０のうち、第一面６００よりも右側の部分と、第一面６００よりも左側の部分である。
【００２５】
導光板６は、第一面６００に設けられた光拡散部６３を更に有する。光拡散部６３は、入射した光の一部を真下に透過させ、その他の光を左右方向に屈折させるように、形成されている。光拡散部６３は、第一面６００の一部（左右方向の中央部）に形成された凹凸状の拡散パターン（多数のプリズム）で構成されている。
【００２６】
光源部４の光は、光拡散部６３を通過することで、導光板６の上端部（光拡散部６３に近い側の端部）において、主に左右方向に拡散される。導光板６は、その上端部を除く残りの部分において、前面６１が面状に発光する。
【００２７】
導光板６は、第二面６０１に設けられた被連結部６４を更に有する。本実施形態では、第二面６０１の左右の端部に、被連結部６４が形成されている。第二面６０１の左右の端部は、第二面６０１のその他の部分に比べて下側に位置する低段部６０２となっており、低段部６０２の左右方向の中央部に、上側に突出する四角柱状の凸部６４０が設けられている。図４に示すように、凸部６４０は、上側から見て台形状であり、前側の部分ほど左右長さが徐々に小さくなるように形成されている。左右の凸部６４０が、被連結部６４を構成している。
【００２８】
図３に示すように、導光板６の左右の端面及び下端面は、平坦面である。導光板６の厚み（前後長さ）は、一定である。
【００２９】
（２−２−２）表示パネル
表示パネル７は、導光板６からの光で発光する、透光性のパネルである。表示パネル７は、例えば、半透明な乳白色のパネルであり、通過する光を拡散させる機能を有する。表示パネル７は、アクリル樹脂のような透光性を有する合成樹脂材料に拡散剤が混入された樹脂成形体である。
【００３０】
表示パネル７の前面には、非常口を示す絵文字（ピクトグラム）で構成された表示パターン７０が付されている。表示パターン７０は、印刷等の適宜手段によって、表示パネル７の前面に付される。なお、ピクトグラムは、非常口を示す絵文字に限らず、その他の視覚記号であってもよい。
【００３１】
表示パネル７は、略矩形状の前板７１と、前板７１の左右の端部から後側に突出した側板７２と、前板７１の下端部から後側に突出した底板７３と、前板７１の上端部から後側に突出した左右一対のカバー片７４と、を有する。表示パネル７はさらに、左右の側板７２のそれぞれの上端部から左右方向外側に突出した第二カバー片７５を有する。表示パネル７は、上面の一部と後面全体が開口した、矩形の扁平な箱状である。本実施形態では、カバー９は、左右一対のカバー片７４で構成されている。
【００３２】
前板７１の前面に、表示パターン７０が付されている。左右の側板７２のそれぞれは、左右方向外側を向く面に、パネルケース８に対しての位置決めに用いられる上下方向に長い凸条部７２０と、凸条部７２０の下側に位置する突起７２１とを有する。凸条部７２０と突起７２１は、左右の側板７２のそれぞれの上半部に設けられている。左右の側板７２のそれぞれの左右方向内側を向く面は、平坦面である。
【００３３】
底板７３は、その下面に、パネルケース８に対しての位置決めに用いられる左右方向に長い凸部７３０を有する。底板７３の上面は、平坦面である。
【００３４】
前板７１の上端部の左右の端部には、導光板６の左右の凸部６４０を前側に開放するための凹み７１０が設けられている。左右一対のカバー片７４は、前板７１の上端のうち、左右の凹み７１０よりも左右方向内側の箇所から、後側に突出している。
【００３５】
左右一対のカバー片７４は、左右方向に距離をおいて位置する。左右一対のカバー片７４のそれぞれは、導光板６の上面６０の第二面６０１に対向する部分７４０と、パネルケース８の上面に対向する部分７４１とを含む。部分７４１は、部分７４０よりも左右方向に短い。部分７４１には、パネルケース８に引っ掛かる引っ掛け部７４２が設けられている。引っ掛け部７４２は、本実施形態では、部分７４１を上下方向に貫通する貫通孔７４３で構成されている。
【００３６】
左右一対の第二カバー片７５は、左右の側板７２のそれぞれの上端部から左右方向外側に突出した矩形板状の片である。
【００３７】
表示パネル７は、前板７１の後面に導光板６の前面６１が接し、底板７３の上面に導光板６の下面が接し、左右の側板７２の左右方向内側の面に、導光板６の左右の面が接するように、導光板６と組み合わされる。
【００３８】
表示パネル７と導光板６とを組み合わせた状態で、表示パネル７の左右一対のカバー片７４の部分７４０は、導光板６の第二面６０１に対向して位置する。これにより、表示パネル７と導光板６との間が、左右一対のカバー片７４（カバー９）によって覆われる。
【００３９】
またこの組み合わせた状態において、導光板６の左右の凸部６４０の前側には、表示パネル７の左右の凹み７１０が位置して、左右の凸部６４０は前側に開放される。なお、左右の凸部６４０の上側には、カバー片７４が位置せず、左右の凸部６４０は、上側にも開放されている。左右のカバー片７４の間には光拡散部６３が位置し、光拡散部６３は上側に開放されている。
【００４０】
（２−２−３）パネルケース
パネルケース８は、組み合わせた状態の表示パネル７及び導光板６を保持するケースである。パネルケース８は、例えば樹脂成型品である。パネルケース８は、不透明であり、透光性を有さない。
【００４１】
パネルケース８は、上面及び前面が開口した矩形の箱状である。パネルケース８は、後壁８０と、後壁８０の左右の端部から前側に突出した左右一対の側壁８１と、後壁８０の下端部から前側に突出した底壁８２と、を備える。
【００４２】
後壁８０は、略矩形板状である。後壁８０の上端部には、左右のカバー片７４の部分７４１が収まる左右一対の凹部８３と、導光板６の左右の凸部６４０を後側に開放するための左右一対の凹み８４と、が設けられている。左右一対の凹部８３のそれぞれには、引っ掛け部７４２が引っ掛かる被引っ掛け部８５が設けられている。被引っ掛け部８５は、本実施形態では、左右一対の凹部８３のそれぞれの底面から上側に突出した突起で構成されている。
【００４３】
後壁８０の後面には、筐体２への取り付けに用いられる取付部８６が設けられている。取付部８６は、複数の突起８６０で構成される。図３及び図４に示すように、複数の突起８６０のそれぞれは、上側から見てＬ字状であり、後壁８０の左右の端部のそれぞれから後側に突出している。本実施形態では、後壁８０の左右の端部のそれぞれに、上下２つの突起８６０が設けられている。
【００４４】
図３に示すように、左右一対の側壁８１のそれぞれの左右方向内側の面には、表示パネル７の凸条部７２０及び突起７２１が収容される、上下方向に長い凹条部８１０と、突起７２１に引っ掛かって抜け止めを行う突起８１１とが設けられている。凹条部８１０は、左右一対の側壁８１のそれぞれの上端から上下方向の中央部までわたっている。突起８１１は、凹条部８１０の底面（左右方向内側を向く面）に設けられており、凹条部８１０の下端から上側に若干離れた箇所に位置している。
【００４５】
左右一対の側壁８１のそれぞれの左右方向外側の面の上端部には、光源カバー５の一部が収まる凹み８１２が設けられている。
【００４６】
底壁８２の上面には、表示パネル７の凸部７３０が収まる凹部８２０が設けられている。
【００４７】
図２及び図４に示すように、パネルケース８内には、組み合わせた状態の表示パネル７及び導光板６が収容されて保持される。表示パネル７及び導光板６は、パネルケース８の上面の開口を通じて、左右の側壁８１の間に挿入される。
【００４８】
表示パネル７の左右の凸条部７２０は、パネルケース８の左右の側壁８１の凹条部８１０内に収まり、表示パネル７の左右の突起７２１は、パネルケース８の左右の突起８１１の下側に位置する。表示パネル７の底板７３の凸部７３０は、パネルケース８の底壁８２の凹部８２０内に収まる。導光板６の後面６２は、パネルケース８の後壁８０の前面に接し、表示パネル７の底板７３は、パネルケース８の底壁８２の上面に接する。
【００４９】
図４に示すように、表示パネル７の左右のカバー片７４の部分７４１は、パネルケース８の左右の凹部８３内に収まり、左右のカバー片７４の貫通孔７４３内に、パネルケース８の左右の突起が一対一に入り込む。表示パネル７の左右の第二カバー片７５は、パネルケース８の左右の側壁８１の上端面に接する。パネルケース８の後壁８０の上端部の左右の凹み８４は、導光板６の左右の凸部６４０の後側に位置し、左右の凸部６４０が後側に開放される。
【００５０】
表示パネル７及び導光板６は、パネルケース８に収容された状態で、パネルケース８に対して位置決めされ、前後左右上下のそれぞれの方向の移動が規制される。
【００５１】
（２−３）光源部
光源部４は、導光板６の上面６０の光拡散部６３へ向けて光を出射するように、構成されている。図２及び図５に示すように、光源部４は、光源４０と、光源４０を覆う不透明な箱状の光源ケース４１と、光源４０を覆う透光性のカバー材４２と、を備える。
【００５２】
光源４０は、本実施形態では、発光ダイオードである。光源部４は、発光ダイオードが下面に実装される基板４３を更に備える。発光ダイオードは、基板４３のうち、光拡散部６３に対向する部分に実装されている。基板４３には、少なくとも１つの発光ダイオードが実装される。
【００５３】
光源ケース４１は、下面が開口した箱状である。光源ケース４１は、例えば樹脂成型品である。カバー材４２は、光源ケース４１の下面の開口を閉じるように、光源ケース４１に取り付けられる。カバー材４２は、光源ケース４１に取り付けた状態で、光源ケース４１内に収まる。基板４３は、カバー材４２と光源ケース４１とで上下から挟まれることで、光源ケース４１内に取り付けられる。
【００５４】
図２、図６及び図７に示すように、光源部４は、パネル部３に連結する連結部４４を更に有する。連結部４４は、パネル部３に対して前後方向に着脱可能である。連結部４４は、パネル部３の凸部６４０に弾性的に引っ掛かる爪部４４０と、爪部４４０を弾性変形させる操作片４４１と、をそれぞれ２つずつ有する。
【００５５】
連結部４４は、２つの操作片４４１が互いに近づく方向に押し込まれることで、２つの爪部４４０が弾性変形して、２つの爪部４４０がパネル部３の左右の凸部６４０に引っ掛かった状態を解除するように、構成されている。
【００５６】
右側の爪部４４０と操作片４４１のセットと、左側の爪部４４０と操作片４４１のセットとは、左右対称である。
【００５７】
左右の爪部４４０は、光源ケース４１の左右の端部の前端部から、上側から見て弧状をなすように後側に突出している。左右の爪部４４０の先端部（後端部）には、左右方向内側に突出した抜け止め片４４２が設けられている。左右の爪部４４０の後端部から前側に向けて操作片４４１が突出している。操作片４４１の前端部には、左右方向外側に突出した引っ掛け片４４３が設けられている。
【００５８】
左右の爪部４４０と光源ケース４１との間には、導光板６の左右の凸部６４０が挿入される溝４５が形成される。溝４５は、上下方向及び後側に開放された溝である。
【００５９】
光源部４は、パネル部３に対して取り付ける際に、パネル部３の左右の凸部６４０の前側に、左右の溝４５が位置するように配置した後、光源部４を後側へ移動させる。すると、左右の溝４５内に左右の凸部６４０が収まり、左右の爪部４４０が左右の凸部６４０に引っ掛かる。これにより、光源部４は、パネル部３の導光板６に対して、位置決めされる。
【００６０】
光源部４の基板４３は、筐体２内の電源装置に電気的に接続される。基板４３と電源装置とは、例えば図示しない絶縁電線を介して、電気的に接続される。
【００６１】
（２−４）光源カバー
図１及び図５に示すように、光源カバー５は、光源部４を覆う不透明なカバーである。光源カバー５は、例えば樹脂成型品である。光源カバー５は、後面及び下面が開口した、矩形の箱状である。
【００６２】
図２及び図５に示すように、光源カバー５は、前壁５０と、上壁５１と、左右一対の側壁５２と、上壁５１から後側に突出した取付部５３とを有する。取付部５３は、左右一対の下取付片５３０と、左右一対の上取付片５３１とを含む。
【００６３】
光源カバー５は、左右の下取付片５３０がカバー支持部２６の左右の突起２６０上に載せられ、左右の上取付片５３１が、筐体２の左右の凹部２４０内に挿入されて、上壁２４に引っ掛かることで、筐体２に取り付けられる。
【００６４】
前壁５０は、その下端部が、後下側に突出した傾斜片５００となっている。傾斜片５００の先端（下端）は、光源カバー５を筐体２に取り付けた状態において、表示パネル７の前面に当たるか、または、僅かな隙間を介して対向する。またこの取付状態において、左右の側壁５２は、パネルケース８の左右の凹み８１２に収まる。
【００６５】
前壁５０（つまり光源カバー５の一部）は、導光板６の上端部（導光板６のうち光拡散部６３に近い側の端部）及び表示パネル７の上端部を前側から覆う。ここで、導光板６の上端部は、光拡散部６３を通過した光が、主に左右方向に拡がる部分であり、導光板６のその他の部分に比べて面状に発光しにくい部分である。同様に、表示パネル７の上端部は、導光板６の上端部から出射される光が通過する部分であるため、表示パネル７のその他の部分に比べて面状に発光しにくい部分である。そのため、前壁５０は、導光板６及び表示パネル７の、面状に発光しにくい部分を覆い隠すことができる。
【００６６】
（２−５）その他
筐体２内に収容される端子台は、外部電源に接続された電気配線が接続される装置である。また、電源装置は、光源部４の光源４０に電力を供給する装置である。電源装置は、蓄電池を含む。制御装置は、光源部４の光源４０の点灯・消灯を制御するための装置である。制御装置は、基板４３上に実装されて、制御回路を構成する回路部品である。
【００６７】
（３）表示装置の組み立て及び分解方法
（３−１）組み立て方法
続いて、図２に示す分解した状態の表示装置１を組み立てる方法の一例について説明する。
【００６８】
まず、筐体２にパネル部３を取り付ける。詳しくは、パネル部３の各突起８６０が、筐体２の各突起２５０の上側に位置するように、筐体２の前側にパネル部３を配置し、その後、パネル部３を下側に移動させて、各突起８６０を各突起２５０で支持する。これにより、筐体２にパネル部３が取り付けられる。
【００６９】
次いで、パネル部３に光源部４を取り付ける。詳しくは、光源部４の左右の溝４５が、パネル部３の導光板６の左右の凸部６４０の前側に位置するように、光源部４を配置し、その後、光源部４を後側に移動させて、左右の溝４５内に左右の凸部６４０を挿入する。これにより、光源部４の左右の爪部４４０が左右の凸部６４０に引っ掛かり、パネル部３に光源部４が取り付けられる（図７参照）。
【００７０】
次いで、筐体２に光源カバー５を取り付ける。詳しくは、光源カバー５の左右の下取付片５３０が、筐体２のカバー支持部２６の左右の突起２６０の前斜め上側に位置し、左右の上取付片５３１が、筐体２の左右の凹部２４０の前側に位置するように、光源カバー５を配置する。その後、光源カバー５を後側に移動させる。これにより、光源カバー５の左右の下取付片５３０が、筐体２の左右の突起２６０によって支持され、光源カバー５の左右の上取付片５３１が、筐体２の左右の凹部２４０に挿入されて上壁２４に引っ掛かり、筐体２に光源カバー５が取り付けられる。
【００７１】
（３−２）分解方法
続いて、図１に示す表示装置１を分解する方法の一例について説明する。
【００７２】
まず、筐体２から光源カバー５を取り外す。このとき、光源カバー５は、前側に引っ張ることで、筐体２から取り外すことができる。
【００７３】
次いで、パネル部３から光源部４を取り外す。このとき、光源部４の左右の操作片４４１を互いに近づく方向（左右方向内側）に押し込むことで、左右の爪部４４０が弾性変形して、左右の凸部６４０から左右方向外側に離れる。この状態で、光源部４を前側に引っ張ることで、パネル部３から取り外すことができる。
【００７４】
次いで、筐体２からパネル部３を取り外す。このとき、パネル部３を上側に持ち上げることで、パネル部３の各突起８６０が筐体２の各突起２５０から離れ、この状態で、パネル部３を前側に引っ張ることで、筐体２から取り外すことができる。
【００７５】
（４）作用効果
以上説明した本実施形態の表示装置１では、導光板６と表示パネル７の間の覆うカバー９（左右のカバー片７４）を備えるため、導光板６と表示パネル７の間に、埃等の異物が侵入することを、カバー９によって抑制することができる。
【００７６】
また、本実施形態の表示装置１では、導光板６の上面６０のうち左右のカバー片７４が対向する箇所（第二面６０１）とは別の箇所（第一面６００）へ光源部４から光が出射される。そのため、本実施形態の表示装置１では、光源部４からの光が、左右のカバー片７４を経ることで、導光板６内に設計通りに導入されず、光学的な損失が生じることを抑制することができる。
【００７７】
また、本実施形態の表示装置１では、光拡散部６３へ光源部４から光が出射されるため、光拡散部６３を通過した光が導光板６内に広く拡散され、導光板６を面状に発光させることができる。
【００７８】
また、本実施形態の表示装置１では、左右のカバー片７４が表示パネル７と一体であり、左右のカバー片７４が、パネルケース８に引っ掛かる引っ掛け部７４２を有するため、利用中の熱膨張・熱収縮で表示パネル７に反りが生じることを抑制することができる。また、本実施形態の表示装置１では、成形時に表示パネル７に反りが生じている場合も、左右のカバー片７４をパネルケース８に引っ掛けることで、この反りを抑えて、表示パネル７と導光板６との間に隙間が生じることを抑制することができる。
【００７９】
また、本実施形態の表示装置１では、左右の第二カバー片７５によって、パネルケース８の左右の側壁８１と表示パネル７の左右の側板７２との間を上側から覆うことができる。そのため、本実施形態の表示装置１では、この間に、埃等の異物が侵入することも抑制することができる。
【００８０】
（５）変形例
以上説明した本実施形態の表示装置１の変形例について説明する。
【００８１】
カバー９は、導光板６と表示パネル７の間を、左右方向の全長にわたって覆うように構成されてもよく、この場合、カバー９は、透光性を有する材料（例えば、導光板６と同じ材料）で形成される。
【００８２】
カバー９は、表示パネル７とは別体（別の部材）であってもよく、導光板６及びパネルケース８に対しても別体であってもよい。つまり、カバー９は、パネル部３とは別体に設けて、導光板６と光源部４との間に配置されてもよい。この場合、表示パネル７には、カバー９が引っ掛かる部分を設けることが好ましい。
【００８３】
また、カバー９は、表示パネル７と一体ではなく、導光板６あるいはパネルケース８と一体であってもよく、この場合、表示パネル７には、カバー９が引っ掛かる部分を設けることが好ましい。
【００８４】
表示装置１は、導光板６の上面６０に設けられた光拡散部６３を備えなくてもよく、後面６２または後面６２に重なる部材に設けられた拡散パターン等によって、導光板６が面状に発光するように、導光してもよい。
【００８５】
また、光拡散部６３は、導光板６とは別部材であってもよく、導光板６の上面６０に配置することで、上面６０に設けてもよい。
【００８６】
カバー９が引っ掛かる部分は、パネルケース８のみに限定されず、パネルケース８と導光板６の両方に設けてもよい。
【００８７】
カバー９を構成するカバー片７４の数は、２つに限らず、１つであってもよいし、３つ以上であってもよい。例えば、カバー片７４は、表示パネル７の上端の左右方向の中央部に設けられてもよく、この場合、導光板６の上面６０の左右の端部の少なくとも一方に、光拡散部６３が設けられる。
【００８８】
カバー９とパネルケース８に設けられる互いに引っ掛かり合う構造は、上記構造（貫通孔７４３と突起の組み合わせ）に限らず、その他の構造であってもよい。
【００８９】
表示パネル７は、２色成形で形成されてもよく、左右のカバー片７４は、透明な樹脂で成形され、表示パネル７のその他の部分は、半透明な樹脂で成形されてもよい。
【００９０】
表示装置１は、パネル部３に対して光源部４が上側に位置する態様に限らず、下側、右側、あるいは左側に位置する態様で用いてもよい。また、表示装置１は、導光板６が上下方向に厚みを有する態様で用いてもよい。
【００９１】
光源部４の光源４０は、発光ダイオードのみに限らず、発光ダイオードと導光棒との組み合わせであってもよいし、電球であってもよいし、蛍光灯であってもよい。
【００９２】
また、表示装置１は、筐体２の前後両側に、パネル部３、光源部４、及び光源カバー５が配置される、両面タイプの誘導灯であってもよい。この場合、筐体２は、前面と後面の両方が開口し、筐体２の後部にも、パネル支持部２５及びカバー支持部２６が設けられる。後側に配置されるパネル部３、光源部４、及び光源カバー５は、前側に配置されるものと同様のものが用いられる。
【００９３】
表示装置１は、誘導灯に限らず、避難誘導のための電灯（非常灯）として用いてもよいし、各種の標識や広告を表示するための電灯として用いてもよい。
【００９４】
基板４３に実装される発光ダイオードの数及び配置は、導光板６の左右長さや導光板６に設けられる光拡散部６３の数に対応して適宜変更可能である。
【００９５】
（まとめ）
以上説明した一実施形態及びその変形例の表示装置１のように、第一態様の表示装置１は、下記の構成を備える。
【００９６】
すなわち、第一態様の表示装置１は、導光板６と、導光板６の前側に位置する透光性の表示パネル７と、表示パネル７の前面が露出するように、表示パネル７及び導光板６を保持するパネルケース８と、を備える。第一態様の表示装置１はさらに、導光板６の側端面に対向して位置し、前記側端面へ光を出射する光源部４と、導光板６と光源部４の間に位置し、導光板６と表示パネル７の間を覆うカバー９と、を備える。
【００９７】
上記構成を備えることで、第一態様の表示装置１では、カバー９によって導光板６と表示パネル７の間を覆うことができ、この間に埃等の異物が侵入することを抑制することができる。
【００９８】
また、一実施形態及びその変形例の表示装置１のように、第二態様の表示装置１は、第一態様の表示装置１の構成に加えて、下記の構成を付加的に備える。
【００９９】
すなわち、第二態様の表示装置１では、導光板６の側端面（上面６０）は、光源部４の光が入射される第一面６００と、第一面６００を除いた第二面６０１とを、含む。カバー９は、第二面６０１に対向して位置し、第二面６０１に対向しない。
【０１００】
上記の構成を備えることで、第二態様の表示装置１では、光源部４からの光がカバー９へ入射されることによって、光源部４からの光が導光板６内へ設計通りに入射されず、光学的な損失が生じることを抑制することができる。
【０１０１】
また、一実施形態及びその変形例の表示装置１のように、第三態様の表示装置１は、第二態様の表示装置１の構成に加えて、下記の構成を付加的に備える。
【０１０２】
すなわち、第三態様の表示装置１では、前記導光板６の第一面６００に、光源部４から入射する光を拡散させる光拡散部６３が設けられている。
【０１０３】
上記の構成を備えることで、第三態様の表示装置１では、光源部４から入射する光を光拡散部６３で導光板６内に広く拡散させることができ、導光板６を面状に発光させやすい。
【０１０４】
また、一実施形態及びその変形例の表示装置１のように、第四態様の表示装置１は、第一〜第三のいずれかの態様の表示装置１の構成に加えて、下記の構成を付加的に備える。
【０１０５】
すなわち、第四態様の表示装置１では、カバー９は、表示パネル７と一体であり、かつ、導光板６とパネルケース８の少なくとも一方に引っ掛かる引っ掛け部７４２を有する。
【０１０６】
上記の構成を備えることで、第四態様の表示装置１では、表示パネル７を、カバー９を介して、導光板６とパネルケース８の少なくとも一方に引っ掛けて移動を規制することができる。そのため、第四態様の表示装置１では、利用中に熱膨張・熱収縮等で表示パネル７に反りが生じることを抑えることができる。
【０１０７】
また、一実施形態及びその変形例の表示装置１のように、第五態様の表示装置１は、第四態様の表示装置１の構成に加えて、下記の構成を付加的に備える。
【０１０８】
すなわち、第五態様の表示装置１では、カバー９は、複数のカバー片７４を含む。複数のカバー片７４のそれぞれが、引っ掛け部７４２を有する。
【０１０９】
上記の構成を備えることで、第五態様の表示装置１では、表示パネル７を、複数のカバー片７４を介して、導光板６とパネルケース８の少なくとも一方に引っ掛けて移動を規制することができる。そのため、第五態様の表示装置１では、利用中に熱膨張・熱収縮等で表示パネル７に反りが生じることをさらに抑えやすい。
【０１１０】
以上、本開示を添付図面に示す実施形態に基づいて説明したが、本開示は上記の実施形態に限定されるものではなく、本開示の意図する範囲内であれば、適宜の設計変更が可能である。
【符号の説明】
【０１１１】
１      表示装置
４      光源部
６      導光板
７      表示パネル
８      パネルケース
９      カバー
６３    光拡散部
７４    カバー片
６００  第一面
６０１  第二面
７４２  引っ掛け部
【図１】
2019174554.tif 000003
【図２】
2019174554.tif 000004
【図３】
2019174554.tif 000005
【図４】
2019174554.tif 000006
【図５】
2019174554.tif 000007
【図６】
2019174554.tif 000008
【図７】
2019174554.tif 000009